(57)【特許請求の範囲】
【請求項１】
それぞれが画像の画素の少なくとも第１，第２，及び，第３の色成分の中の１つの色成分専用である複数の発光素子を有するアクティブマトリクス有機発光ディスプレイにおいて画像を表示するための方法であって、前記発光素子のそれぞれによって生成される輝度が、該発光素子に供給されるビデオ信号の強度に基づいており、該信号の前記強度が基準電圧または基準電流である基準信号に基づいている方法において、
前記画像をビデオフレーム中で少なくとも３回アドレス指定して該ビデオフレームが少なくとも第１，第２，及び，第３のサブフレームに分割されるようにするステップを有し、前記第１，第２，及び，第３の色成分を、前記第１のサブフレーム中に該第１の色成分に割り当てられた第１の基準信号だけを用いて表示し、前記第２及び第３の色成分だけを、前記第２のサブフレーム中に該第２の色成分に割り当てられた第２の基準信号だけを用いて表示し、及び、前記第３の色成分だけを、前記第３のサブフレーム中に該第３の色成分に割り当てられた第３の基準信号だけを用いて表示することを特徴とする、方法。
【請求項２】
３つの前記色成分は、赤色成分、緑色成分、及び、青色成分である、請求項１に記載の方法。
【請求項３】
前記赤色成分、前記緑色成分、及び、前記青色成分が、前記第１のサブフレーム中に、前記緑色成分に割り当てられた基準信号の第１の組を用いて表示され、前記赤色及び青色成分が、前記第２のサブフレーム中に、前記赤色成分に割り当てられた基準信号の第２の組を用いて表示され、前記青色成分が、前記第３のサブフレーム中に、該色成分に割り当てられた基準信号の第３の組を用いて表示される、請求項２に記載の方法。
【請求項４】
行及び列に配置された発光素子の配列を含むアクティブマトリクスであって、各発光素子が、表示される画像の画素の少なくとも第１，第２，及び，第３の色成分の中の１つの色成分を表示するために使用されるアクティブマトリクスと、
前記アクティブマトリクスの前記発光素子を１行ずつ選択するロードライバと、
該ロードライバによって選択された行の各発光素子に、該発光素子によって表示されるビデオ情報、及び、基準電圧または基準電流である１組の基準信号に依存する信号を送達するカラムドライバと、
該カラムドライバに前記ビデオ情報及び前記１組の基準信号を送達し、及び、前記ロードライバに制御信号を送達するデジタル処理ユニットと
を備える表示デバイスであって、
前記デジタル処理ユニットは、前記ロードライバを制御し及びビデオ情報及び基準信号を前記カラムドライバに送達して前記画像をビデオフレーム中で少なくとも３回アドレス指定し且つ前記ビデオフレームが少なくとも第１，第２，及び，第３のサブフレームに分割されるようにし、前記第１，第２，及び，第３の色成分が、前記第１のサブフレーム中に該第１の色成分に割り当てられた第１の基準信号だけを用いて表示され、前記第２及び第３の色成分だけが、前記第２のサブフレーム中に該第２の色成分に割り当てられた第２の基準信号だけを用いて表示され、及び、前記第３の色成分だけが、前記第３のサブフレーム中に該第３の色成分に割り当てられた第３の基準信号だけを用いて表示されることを特徴とする、表示デバイス。
【発明の詳細な説明】
【技術分野】
【０００１】
本発明は、アクティブマトリクス（active matrix）表示デバイスにおいて、より詳細にはアクティブマトリクスＯＬＥＤ（有機発光表示）表示デバイスにおいて、画像を表示する方法に関する。この方法は、より詳細には、限定はされないがビデオ適用分野向けに開発されたものである。
【背景技術】
【０００２】
アクティブマトリクスＯＬＥＤすなわちＡＭ−ＯＬＥＤの構造はよく知られている。ＡＭ−ＯＬＥＤは、
−各セルに対して複数の薄膜トランジスタ（ＴＦＴ）とＯＬＥＤ材料に接続されたコンデンサとの組合せを含むアクティブマトリクスであって、コンデンサがビデオフレームのある一部に値を記憶するメモリ構成要素として機能し、この値が、次のビデオフレームまたはビデオフレームの次の部分にセルにより表示するビデオ情報を表し、ＴＦＴが、セルの選択、コンデンサにおけるデータの記憶、及び、記憶されたデータに対応するビデオ情報のセルによる表示を可能にするスイッチとして機能するアクティブマトリクス、
−それらの内容をリフレッシュするためにマトリクスのセルを１ラインずつ選択するロー（ゲート）ドライバ、
−現在選択されているラインの各セルに記憶されるべきデータを送達するカラム（ソース）ドライバであって、この構成要素が各セルに対するビデオ情報を受け取るカラム（ソース）ドライバ、並びに、
−必要なビデオ及び信号処理ステップを適用し、必要な制御信号をロードライバ及びカラムドライバに送達するデジタル処理ユニット
を備える。
【０００３】
実際には、ＯＬＥＤセルを駆動するには２つの方法がある。第１の方法では、デジタル処理ユニットによって送出される各デジタルビデオ情報は、カラムドライバによって振幅がビデオ情報に比例する電流に変換される。この電流は、マトリクスの適切なセルに供給される。第２の方法では、デジタル処理ユニットによって送出されるデジタルビデオ情報は、カラムドライバによって振幅がビデオ情報に比例する電圧に変換される。この電流または電圧は、マトリクスの適切なセルに供給される。
【０００４】
上記から、ロードライバは１ラインずつ選択を適用するだけでよいので、かなり単純な関数を有するものと推定できる。それは、事実上シフトレジスタである。カラムドライバは、実際の能動部品に相当するので、高水準のデジタル−アナログ変換器と見なすことができる。ＡＭ−ＯＬＥＤのそのような構造を用いてビデオ情報を表示することについて、以下に述べる。入力信号はデジタル処理ユニットに送られ、デジタル処理ユニットは、内部処理の後、行選択に対するタイミング信号を、カラムドライバに送出されるデータと同期させたロードライバに送達する。カラムドライバに送出されるデータは、並列または直列のいずれかである。さらに、カラムドライバは、別の基準信号デバイスによって送達される基準信号を処理する。この構成要素は、電圧駆動型回路の場合は１組の基準電圧を送達し、電流駆動型回路の場合は１組の基準電流を送達する。最高基準は白に使用され、最低基準は黒レベルに使用される。次いで、カラムドライバはマトリクスセルに、そのセルによって表示されるべきデータに対応する電圧または電流振幅を印加する。
【０００５】
この概念を説明するために、電圧駆動型回路の一例を以下に述べる。そのような回路は、本明細書の他の部分でも、本発明について説明するために使用することとする。例に挙げるドライバは、Ｖ０乃至Ｖ７という名で呼ばれる８つの基準電圧を使用し、ビデオレベルは以下に示すように構築される。
【０００６】
【表１】
0005436861.tif 000002
【０００７】
より完全な表は、付属書類１に示す。この表は、様々な入力ビデオレベルに対する出力電圧を示す。例えば、使用される基準電圧は以下のものである。
【０００８】
【表２】
0005436861.tif 000003
【０００９】
実際には、カラーディスプレイを作製するには３つの方法がある。
−図１に示す第１の可能性は、上部にフォトパターン可能な（photopatternable）色フィルタを有する白色ＯＬＥＤ発光体を使用することである。この種類のディスプレイは、着色も色フィルタを使用して行われる現在のＬＣＤディスプレイと類似している。このディスプレイには、単一のＯＬＥＤ材料堆積を使用するという利点と、十分な色調整の可能性があるという利点とがあるが、表示全体の率は色フィルタによって制限される。
−図２に示す第２の可能性は、上部にフォトパターン可能な赤色及び緑色用の色変換部を有する青色ＯＬＥＤ発光体を使用することである。このような変換部は、主に、光の特定のスペクトルを吸収し、それを常により低い他のスペクトルに変換する材料に基づく。この種類のディスプレイには、単一のＯＬＥＤ材料堆積を使用するという利点があるが、表示全体の率は色変換部によって制限される。さらに、光のスペクトルは変換部によって低減させることしかできないので、青色材料が必要であるが、青色材料は常に、発光及び寿命の両方の条件でより非効率的である。
−図３に示す第３の可能性は、３色の赤、緑、及び青に対して異なるＯＬＥＤ発光体を使用することである。この種類のディスプレイは、少なくとも３つの材料堆積ステップを必要とするが、発光体がフィルタリングされないのでより効率的である。
【００１０】
本発明は、特に図３のディスプレイに適合される。本発明は、他の種類のディスプレイにも使用することができるが、利点はより少なくなる。
【００１１】
３つの異なるＯＬＥＤ材料（１色につき１つ）を使用するということは、それらがすべて異なる挙動を有することを示唆する。つまり、３つの異なるＯＬＥＤ材料はすべて、図４に示すように、異なる閾電圧及び異なる効率を有する。図４の例では、青色材料の閾電圧ＶＢｔｈは、緑色材料の閾電圧ＶＧｔｈより大きく、緑色材料の閾電圧ＶＧｔｈ自体は、赤色材料の閾電圧ＶＲｔｈより大きい。さらに、緑色材料の効率は、赤色及び青色材料の効率より大きい。したがって、所与の色温度を実現するためには、これらの３つの色間の利得は、材料の空間内色座標に応じてさらに調整されなければならない。例えば、以下の材料が使用される。
【００１２】
赤（ｘ＝０．６４；ｙ＝０．３３）、但し６ｃｄ／Ａ及びＶＲｔｈ＝３Ｖとする。
緑（ｘ＝０．３；０．６）、但し２０ｃｄ／Ａ及びＶＧｔｈ＝３．３Ｖとする。
青（ｘ＝０．１５；０．１１）、但し４ｃｄ／Ａ及びＶＲｔｈ＝３．５Ｖとする。
【００１３】
したがって、白色温度６４００°Ｋ（ｘ＝０．３１３；ｙ＝０．３２８）は、１００％の赤、８４％の緑、及び９５％の青を使用することにより実現される。
【００１４】
３つの色に対して１組の基準信号（電圧または電流）のみを有する１つのドライバが使用される場合で且つセルに印加されるべき最大電圧が７ボルト（＝Ｖｍａｘ）である場合、電圧レンジは３〜７Ｖでなければならないが、利用可能なダイナミック（dynamic）の一部分のみを使用することができ、またすべての補正は、デジタル式で実施されなければならない。そのような補正は、表示全体のビデオダイナミックを低減させることとなる。図５は、３つの色に対して最終的に使用されるビデオダイナミックを示す。より詳細には、図５は、適当な色温度及び黒レベルを有するために、各ダイオード（色材料）に対して使用されるレンジを示す。実際には、ダイオードに印加される最小電圧Ｖｍｉｎ（＝前の表でＶ７）を３Ｖに等しくなるように選択して、赤色ダイオードをＯＦＦに切り替えることを可能にしなければならず、最低点灯電圧（＝前の表でＶ７＋（Ｖ６−Ｖ７）×９／１１７５）を青色閾値レベルに応じて選択して黒レベルを調整しなければならない。各ダイオードに対して選択されるべき最大電圧は白色温度に、つまり赤１００％、緑８４％、及び青９５％に適合される。最後に、緑色ビデオレンジのうち非常に小さい部分だけが使用されることがわかる。
【００１５】
３〜７Ｖのビデオレベルが２５６ビットで規定されるので、したがって緑色成分は、わずかなデジタル階調で表示される。赤色成分はもう少し多くの階調を使用するが、これもなお、満足な画質を提供するのに十分なほどではない。解決策は、３つすべての色出力に対して異なる基準信号を有する特有のドライバを使用することであるが、そのようなドライバは、入手できないか、またはかなり高価である。
【発明の開示】
【発明が解決しようとする課題】
【００１６】
本発明の目的は、これらの欠点を改善する方法を提案することである。
【課題を解決するための手段】
【００１７】
本発明によれば、その目的は、それぞれが画像の画素の少なくとも３つの色成分の中の１つの色成分専用である複数の発光素子を有するアクティブマトリクス有機発光表示デバイスにおいて画像を表示するための方法によって解決される。ここで、発光素子のそれぞれによって生成される輝度（luminance）が、該発光素子に供給される信号の強度であって基準信号の関数として規定される信号の強度に基づいている。本発明方法は、以下のステップを含む。
−画像をビデオフレーム中で少なくとも３回アドレス指定（addressing）して該ビデオフレームが少なくとも３つのサブフレームに分割されるようにするステップであって、少なくとも１つの色成分が各サブフレームと関連付けられるステップ。
−各サブフレーム中に、該関連付けられた色成分を、該色成分専用の１組の基準信号を用いて表示するステップ。
【００１８】
３つの色成分は、例えば赤色成分、緑色成分、及び、青色成分である。
【００１９】
第１の実施形態では、赤色成分は、第１のサブフレーム中にその色成分専用の１組の基準信号を用いて表示され、緑色成分は、第２のサブフレーム中にその色成分専用の１組の基準信号を用いて表示され、また青色成分は、第３のサブフレーム中にその色成分専用の１組の基準信号を用いて表示される。
【００２０】
好ましい一実施形態では、赤色、緑色、及び青色成分が、第１のサブフレーム中に緑色成分専用の１組の基準信号を用いて表示され、赤色及び青色成分が、第２のサブフレーム中に赤色成分専用の１組の基準信号を用いて表示され、また青色成分が、第３のサブフレーム中にその色成分専用の１組の基準信号を用いて表示される。
【００２１】
サブフレームの持続時間は異なり、また発光素子の寿命を延ばすために、発光素子に印加される電圧を低減させるように選択されると有利である。例えば、第１のサブフレームの持続時間は第２のサブフレームの持続時間より短く、第２のサブフレームの持続時間は第３のサブフレームの持続時間より短い。
【００２２】
３つのサブフレームは、画素の２つの連続する行（rows）が順次、アドレス指定されて異なる色成分を表示するように、インタリーブされると有利である。
【００２３】
本発明はまた、
−行（rows）及び列（columns）に配置された発光素子の配列を含むアクティブマトリクスであって、各発光素子が、表示されるべき画像の画素の少なくとも３つの色成分の中の１つの色成分を表示するために使用されるアクティブマトリクスと、
−上記マトリクスの発光素子を１行ずつ選択するロードライバと、
−ロードライバによって選択された行の各発光素子に、該発光素子によって表示されるビデオ情報及び１組の基準信号に依存する信号を送達するカラムドライバと、
−ビデオ情報及び１組の基準信号をカラムドライバへ送達し、及び、制御信号をロードライバへ送達するデジタル処理ユニットと
を備える表示デバイスに関する。デジタル処理ユニットは、ロードライバを制御し及びビデオ情報及び基準信号をカラムドライバに送達して画像がビデオフレーム中で少なくとも３回アドレス指定され且つビデオフレームが少なくとも３つのサブフレームに分割されるようにし、少なくとも１つの色成分が各サブフレームに関連付けられ、各サブフレーム中に、該関連付けられた色成分がその色成分専用の１組の基準信号を用いて表示される。
【発明を実施するための最良の形態】
【００２４】
本発明の例示的な実施形態を図面に示し、以下の記述でより詳細に説明する。
【００２５】
図６は、ＡＭＯＬＥＤ表示デバイス内でアドレス指定されるビデオデータの標準的なアドレス指定（addressing）を示す。発光素子のマトリクスは、ＱＶＧＡ表示デバイス（３２０×２４０画素）のように、例えばＣ１乃至Ｃ９６０の３２０×３＝９６０列（１色あたり３２０列）と、Ｌ０乃至Ｌ２３９の２４０行とを含む。話を簡単にするために、Ｌ０乃至Ｌ４の５行のみをこの図に示す。Ｃ１は赤色発光素子の列（column）であり、Ｃ２は緑色発光素子の列であり、Ｃ３は青色発光素子の列であり、Ｃ４は赤色発光素子の列であり、以下同様である。表示されるべき画像のビデオデータは、信号処理ユニットによって処理される。この信号処理ユニットは、１ラインの発光素子に対するビデオデータＲ（１）、Ｇ（１）、Ｂ（１）、Ｒ（２）、Ｇ（２）、Ｂ（２）、．．．Ｒ（３２０）、Ｇ（３２０）、Ｂ（３２０）と、上記ビデオデータを表示するために使用されるべき基準電圧とを、９６０個の出力端を有するデータドライバへ送達する。各出力端は、マトリクスの１つの列に接続される。同じ組の基準電圧が、すべてのビデオデータに対して使用される。したがって、色を表示するためには、この標準的なアドレス指定は、３つの色のビデオ調整とともに、基準電圧の調整を必要とする。これらの調整は、図５に示すビデオダイナミックの大きな損失を蒙ることを防がない。
【００２６】
ここに示す本発明は、標準的なアクティブマトリクスＯＬＥＤで使用できる特有のアドレス指定である。その概念は、各色に対して１組の基準電圧（または電流）を有し、表示デバイスの発光素子を１フレームあたり３回アドレス指定して、ビデオフレームが３つのサブフレームに分割されるようにすることであり、各サブフレームは、対応する１組の基準電圧を使用することによって専用の色を主に表示するように適合される。表示されるべき主な色は、各サブフレームで、その１組の基準電圧が変わるにつれて変わる。
【００２７】
例えば、赤色は第１のサブフレーム中に赤色専用の１組の基準電圧を用いて表示され、緑色は第２のサブフレーム中に緑色専用の１組の基準電圧を用いて表示され、青色は第３のサブフレーム中に青色専用の１組の基準電圧を用いて表示される。
【００２８】
本発明についてより詳細に、好ましい実施形態を示す図７を参照して説明する。第１のサブフレーム中では、緑色成分に適合された基準電圧を使用して３つの成分が表示され、緑色成分に対する完全な階調ダイナミックを処理する。｛Ｖ０（Ｇ）、Ｖ１（Ｇ）、Ｖ２（Ｇ）、Ｖ３（Ｇ）、Ｖ４（Ｇ）、Ｖ５（Ｇ）、Ｖ６（Ｇ）、Ｖ７（Ｇ）｝は、緑色成分専用の１組の基準電圧を示す。他の２つの成分は部分的に表示されるのみである。そのため、このサブフレーム中に表示されるサブ画像は、緑色／黄色を帯びている。第２のサブフレーム中では、緑色成分は非アクティブ状態にされ（ゼロに設定）、電圧は、赤色成分専用の１組の基準電圧｛Ｖ０（Ｒ）、Ｖ１（Ｒ）、Ｖ２（Ｒ）、Ｖ３（Ｒ）、Ｖ４（Ｒ）、Ｖ５（Ｒ）、Ｖ６（Ｒ）、Ｖ７（Ｒ）｝を使用して赤色成分に対する完全なダイナミックを処理するように適合される。このサブフレーム中に表示されるサブ画像は、紫色を帯びている。最後に第３のサブフレーム中では、緑色及び赤色成分は非アクティブ状態にされ（ゼロに設定）、電圧は、青色成分専用の１組の基準電圧｛Ｖ０（Ｂ）、Ｖ１（Ｂ）、Ｖ２（Ｂ）、Ｖ３（Ｂ）、Ｖ４（Ｂ）、Ｖ５（Ｂ）、Ｖ６（Ｂ）、Ｖ７（Ｂ）｝を使用して青色成分に対する完全なダイナミックを処理するように適合される。
【００２９】
本発明によると、ここで、各サブフレームで８つの基準電圧（または電流）を調整することが可能になる。唯一の特殊性は、最低基準電圧を、３つの色のうち最も低い閾電圧に等しくなるように維持しなければならないことである。実際には、青色成分を表示するということは、赤色及び緑色成分をゼロに等しくすること、すなわち本発明者らの例では最低基準電圧であるＶ７に等しくすることを意味する。そのため、この電圧は、これらの成分を実際に黒くするのに十分な低さにしなければならない。図５の例では、
Ｖ７（Ｒ）＝Ｖ７（Ｂ）＝Ｖ７（Ｇ）＝ＶＲｔｈ
でなければならない。唯一の追加要件は、より高速でマトリクスを３回アドレス指定する必要があることである。
【００３０】
図８乃至図１０は、３つのサブフレームにおいて表示デバイスが機能することを示す。図８を参照すると、第１のサブフレーム中では、表示されるべき画像のビデオデータは、緑色成分専用の１組の基準電圧を使用するデータドライバによってマトリクスの発光素子に印加されるべき電圧に変換される。この１組の基準電圧は、３ボルト（＝Ｖ７（Ｇ）＝ＶＲｔｈ）から、緑色成分を表示するために使用できる最大電圧である約４ボルト＝Ｖ０（Ｇ）の間で分配される。
【００３１】
緑色成分に対する基準電圧の一例を以下に示す。
【００３２】
【表３】
0005436861.tif 000004
【００３３】
図９を参照すると、第２のサブフレーム中で、表示されるべき画像のビデオデータは、赤色成分専用の１組の基準電圧を使用するデータドライバによってマトリクスの発光素子に印加されるべき電圧に変換される。緑色成分に対応するビデオデータはゼロに設定される。この１組の基準電圧は、３ボルト（＝Ｖ７（Ｒ）＝ＶＲｔｈ）から、赤色成分を表示するために使用できる最大電圧である約５．４ボルト＝Ｖ０（Ｒ）の間で分配される。
【００３４】
赤色成分に対する基準電圧の一例を以下に示す。
【００３５】
【表４】
0005436861.tif 000005
【００３６】
図１０を参照すると、第３のサブフレーム中では、表示されるべき画像のビデオデータは、青色成分専用の１組の基準電圧を使用するデータドライバによりマトリクスの発光素子に印加されるべき電圧に変換される。緑色成分に対応するビデオデータはゼロに設定される。この１組の基準電圧は、３ボルト（＝Ｖ７（Ｇ）＝ＶＲｔｈ）から、青色成分を表示するために使用できる最大電圧である約７ボルト＝Ｖ０（Ｂ）の間で分配される。
【００３７】
青色成分に対する基準電圧の一例を以下に示す。
【００３８】
【表５】
0005436861.tif 000006
【００３９】
より一般的な方法では、最も高い明度能力（luminosity capabilities）を有する色成分（本発明者らの例では緑色成分）は、第１のサブフレーム内でのみ表示される。最も低い明度能力を有する色成分（本発明者らの例では青色成分）は、３つのサブフレーム内で表示される。そして、中間の明度能力を有する色成分（本発明者らの例では赤色成分）は、２つのサブフレーム中で表示される。
【００４０】
有利にも、３つのサブフレームの持続時間は異なり、専用の色成分の電圧を増大させすぎないように適合される。表示デバイスの色温度は、各色成分のアクティブ時間の持続時間（サブフレームの持続時間）を変えることで調整することができる。この改良形態を図１１に示す。図１１では、青色成分専用の第３のサブフレームの持続時間が特に延ばされている。この図では、各サブフレームに対して選択される持続時間は、図５に示す対応する色成分のダイオードの動作セグメント（または使用されるダイオードダイナミック）に比例する。これにより、各色の発光素子に印加されるべき電圧を増大させないようにして、それらの寿命を高める。さらに、寿命が短い専用の色の持続時間をさらに増大させて、あらゆる特異な老朽化を防止することが可能である。
【００４１】
本発明を実施する表示デバイスには「色割れ（color break-up）」と呼ばれるアーティファクトが発生する可能性があるので、本発明はまた、改善することができる。これは、ＤＬＰ（デジタルライトプロセシング）表示デバイスのように、カラーホイールによる色多重化方式に基づく表示デバイスのように機能している。このアーティファクトは、目が急速に動いているとき、または急速な動きを追っている間、観察することができる。それを、図１２に示す。目が動いて運動を追うとき、３つの色は交互に表示される。
【００４２】
本発明によれば、１ラインずつのカラーインタリーブを実行することが提案される。実際には、図７では、マトリクスのすべてのラインが、同じカラーマネジメントに対して各サブフレーム中に次々に走査される。すべてのラインが、第１のサブフレーム中では、赤色、緑色、及び青色成分を表示するためにアドレス指定され、次いで第２のサブフレーム中では、赤色及び青色成分を表示するためにアドレス指定され、次いで第３のサブフレーム中では、青色成分を表示するためにアドレス指定される。本発明によれば、アドレス指定は修正され、３つのサブフレームがインタリーブされる。図１３乃至図１５に示すように、第１のラインが３つの色成分を表示するためにアドレス指定され、次いで第２のラインが青色及び赤色成分を表示するためにアドレス指定され、次いで第３のラインが青色成分を表示するためにアドレス指定され、以下同様である。
【００４３】
図１３は第１のサブ期間を示す。この第１のサブ期間中に、すべてのラインが１回走査される。第１のラインの発光素子に対するデータドライバの出力電圧は、赤色成分専用の１組の基準電圧を使用して生成され、第２のラインの発光素子に対するデータドライバの出力電圧は、緑色成分専用の１組の基準電圧を使用して生成され、第３のラインの発光素子に対するデータドライバの出力電圧は、青色成分専用の１組の基準電圧を使用して生成され、以下同様である。
【００４４】
図１４は第２のサブ期間を示す。この第２のサブ期間中に、すべてのラインが１回走査される。第１のラインの発光素子に対するデータドライバの出力電圧は、緑色成分専用の１組の基準電圧を使用して生成され、第２のラインの発光素子に対するデータドライバの出力電圧は、青色成分専用の１組の基準電圧を使用して生成され、第３のラインの発光素子に対するデータドライバの出力電圧は、赤色成分専用の１組の基準電圧を使用して生成され、以下同様である。
【００４５】
最後に、図１５は第３のサブ期間を示す。この第３のサブ期間中に、すべてのラインが１回走査される。第１のラインの発光素子に対するデータドライバの出力電圧は、青色成分専用の１組の基準電圧を使用して生成され、第２のラインの発光素子に対するデータドライバの出力電圧は、赤色成分専用の１組の基準電圧を使用して生成され、第３のラインの発光素子に対するデータドライバの出力電圧は、緑色成分専用の１組の基準電圧を使用して生成され、以下同様である。
【００４６】
したがって、３つのサブ期間の終端（ビデオフレームの終端に相当する）では、すべての行（rows）が、３組の基準電圧（電流）に基づく電圧を用いてアドレス指定されている。
【００４７】
このインタリーブモード（interleaved mode）は、色割れの視認性を低減させる。さらに、このモードは、アクティブマトリクス配置のいかなる修正も必要としない簡単な解決策である。前述のように、データドライバは従来の表示デバイス内より３倍高速で、すなわち、６０Ｈｚモードでは１８０Ｈｚで、また５０Ｈｚモードでは１５０Ｈｚで機能している。この動作モードでは、色成分ごとに異なるアクティブ時間を有することはできなくなる。
【００４８】
これらの２つの解決策には、表示デバイスのアクティブマトリクス配置のいかなる修正も必要としないという利点がある。
【００４９】
本発明は、開示された実施形態に限定されない。様々な修正形態が可能であり、特許請求の範囲に含まれると見なすことができる。例えば、他の閾電圧及び効率を有する他のＯＬＥＤ材料を使用することができ、より多くのサブフレームを使用することができ、他の色成分または色成分群をサブフレーム中で表示することができ、色成分を異なる順序で表示することもできる。
【００５０】
【表６】
0005436861.tif 000007
【００５１】
【表７】
0005436861.tif 000008
【００５２】
【表８】
0005436861.tif 000009
【００５３】
【表９】
0005436861.tif 000010
【００５４】
【表１０】
0005436861.tif 000011
【００５５】
【表１１】
0005436861.tif 000012
【００５６】
【表１２】
0005436861.tif 000013
【００５７】
【表１３】
0005436861.tif 000014
【図面の簡単な説明】
【００５８】
【図１】赤色、緑色、及び青色を生成する、３つの色フィルタを有する白色ＯＬＥＤ発光体の図である。
【図２】赤色、緑色、及び青色を生成する、２つの色フィルタを有する青色ＯＬＥＤ発光体の図である。
【図３】赤色、緑色、及び青色を生成する、赤色ＯＬＥＤ発光体、緑色ＯＬＥＤ発光体、及び青色ＯＬＥＤ発光体の図である。
【図４】青色、緑色、及び赤色ＯＬＥＤ材料の閾電圧及び効率を示す概略図である。
【図５】図４の青色、緑色、及び赤色ＯＬＥＤ材料それぞれに使用されるビデオレンジの図である。
【図６】ＡＭＯＬＥＤ表示デバイスにおけるビデオデータの標準的なアドレス指定の図である。
【図７】本発明によるＡＭＯＬＥＤ表示デバイスにおけるビデオデータのアドレス指定の図である。
【図８】ビデオフレームの第１のサブフレーム中のＡＭＯＬＥＤ表示デバイスにおけるビデオデータのアドレス指定の図である。
【図９】ビデオフレームの第２のサブフレーム中のＡＭＯＬＥＤ表示デバイスにおけるビデオデータのアドレス指定の図である。
【図１０】ビデオフレームの第３のサブフレーム中のＡＭＯＬＥＤ表示デバイスにおけるビデオデータのアドレス指定の図である。
【図１１】サブフレームが異なる持続時間を有する一実施形態の図である。
【図１２】色割れアーティファクトの図である。
【図１３】インタリーブモードにおけるビデオフレームの第１のサブ期間中のビデオデータのアドレス指定の図である。
【図１４】インタリーブモードにおけるビデオフレームの第２のサブ期間中のビデオデータのアドレス指定の図である。
【図１５】インタリーブモードにおけるビデオフレームの第３のサブ期間中のビデオデータのアドレス指定の図である。
【図１】
0005436861.tif 000015
【図２】
0005436861.tif 000016
【図３】
0005436861.tif 000017
【図４】
0005436861.tif 000018
【図５】
0005436861.tif 000019
【図６】
0005436861.tif 000020
【図７】
0005436861.tif 000021
【図８】
0005436861.tif 000022
【図９】
0005436861.tif 000023
【図１０】
0005436861.tif 000024
【図１１】
0005436861.tif 000025
【図１２】
0005436861.tif 000026
【図１３】
0005436861.tif 000027
【図１４】
0005436861.tif 000028
【図１５】
0005436861.tif 000029